(57)【要約】【課題】簡素な構造で確実に作動させることのできる電気回路遮断器を提供する。【解決手段】この電気回路遮断器２０は、電気回路１０の各端子間を接続する作動部材２１と火薬式のアクチュエータ２６とを備える。作動部材２１は一端に貫通孔２２が形成されるとともに他端に切り欠き部２３が形成される。それら貫通孔２２および切り欠き部２３を利用して作動部材２１が電気回路１０の端子に接続される。アクチュエータ２６はその作動時において作動部材２１に向かって進む圧力波を発生するように配設される。【選択図】図２
2011192531.tif 000002
【特許請求の範囲】
【請求項１】
電気回路への接続用の第１接続部および第２接続部が一体に形成されるとともにそれら接続部を互いに接続する形状で延設される導体と火薬式のアクチュエータとを備えた電気回路遮断器において、
前記導体はその少なくとも一部が作動部材からなり、
前記作動部材はその一端が前記第１接続部と一体に形成されてなるとともに他端が前記第１接続部に対して相対移動可能な状態で配設されてなり、
前記アクチュエータはその作動時において前記作動部材に向かって進む圧力波を発生するように配設されてなる
ことを特徴とする電気回路遮断器。
【請求項２】
請求項１に記載の電気回路遮断器において、
前記導体は、一端に前記第１接続部が形成されるとともに他端に前記第２接続部が一体に形成された前記作動部材であり、
前記第１接続部は前記電気回路に固定される構造であり、
前記第２接続部は前記電気回路から強制離脱させることの可能な構造である
ことを特徴とする電気回路遮断器。
【請求項３】
請求項２に記載の電気回路遮断器において、
前記作動部材は金属板からなり、
前記第１接続部は前記作動部材に形成される貫通孔であり、
前記第２接続部は前記作動部材に形成される切り欠き部である
ことを特徴とする電気回路遮断器。
【請求項４】
請求項１に記載の電気回路遮断器において、
前記導体は、前記作動部材と、一端に前記第２接続部が一体形成されるとともに他端が前記作動部材の前記他端に接触した状態で配設される連通部材とからなる
ことを特徴とする電気回路遮断器。
【請求項５】
請求項４に記載の電気回路遮断器において、
前記作動部材および前記連通部材は、前記作動部材の前記他端および前記連通部材の前記他端のうちの一方に形成された凹部に他方が挿入された状態で配設されてなる
ことを特徴とする電気回路遮断器。
【請求項６】
請求項５に記載の電気回路遮断器において、
前記アクチュエータは、前記凹部に挿入された前記他端を同凹部から脱出させる方向に向かって進む圧力波を発生するように配設されてなる
ことを特徴とする電気回路遮断器。
【請求項７】
請求項１〜６のいずれか一項に記載の電気回路遮断器において、
当該電気回路遮断器は、前記圧力波によって前記作動部材の前記他端の位置が変化するように同作動部材を変形させるものであり、該他端を変形後の位置で保持する保持部材を備えてなる
ことを特徴とする電気回路遮断器。
【請求項８】
請求項７に記載の電気回路遮断器において、
当該電気回路遮断器は、前記作動部材の前記他端が収容されるケースを備えてなり、
前記保持部材は、前記ケースの内壁面に形成された段差部である
ことを特徴とする電気回路遮断器。
【請求項９】
請求項１〜８のいずれか一項に記載の電気回路遮断器において、
当該電気回路遮断器は、前記圧力波によって前記作動部材の前記他端の位置が変化するように同作動部材を変形させるものであって、前記変形させる前の前記導体と離間した位置であり且つ前記変形させた後の前記作動部材が接触する位置に配設された接続端子を備えてなる
ことを特徴とする電気回路遮断器。
【請求項１０】
請求項１〜９のいずれか一項に記載の電気回路遮断器において、
前記アクチュエータは、前記圧力波によって飛び出して前記作動部材を押圧する押圧部材を備えてなる
ことを特徴とする電気回路遮断器。
【発明の詳細な説明】
【技術分野】
【０００１】
本発明は、電源から電気機器への電力供給を遮断する電気回路遮断器に関するものである。
【背景技術】
【０００２】
従来、火薬式のアクチュエータを内蔵した電気回路遮断器が知られている。この電気回路遮断器は、作動信号が入力されると、ケース内に収容された火薬が着火・燃焼して圧力波を発生させる。そして、この圧力波を利用して電気回路が遮断されるようになる。
【０００３】
こうした電気回路遮断器としては、特許文献１に記載のもののように、上記圧力波を受けて移動する移動部材と同移動部材に設けられたカッター部とを備えたものが知られている。この電気回路遮断器では、上記圧力波の発生に伴って移動部材ともどもカッター部が移動すると、同カッター部によって電気回路の一部をなす導体が切断されるようになる。
【０００４】
その他、特許文献２に記載の電気回路遮断器のように、電気回路の一部をなす導体が、互いに離間した位置に配設された二つの接続部材とそれら接続部材の間に挟持されるとともに上記圧力波を受けて移動する移動部材とによって構成されたものなども知られている。この電位回路遮断器では、圧力波の発生に伴って移動部材が移動すると、同移動部材が二つの接続部材の間から脱出してそれら接続部材間の導通が遮断されるようになる。
【先行技術文献】
【特許文献】
【０００５】
【特許文献１】特開２００４−２４１３８９号公報
【特許文献２】国際公開第９７／４１５８２号公報
【発明の概要】
【発明が解決しようとする課題】
【０００６】
ここで、電気回路遮断器の内部の導体は金属板や電線などによって形成されるために、その導体を切断する際には大きな力が必要になることが多い。そのため、上述したカッター部により導体を切断するタイプの電気回路遮断器では、その作動に際して必要になる力が大きくなり易いと云える。電気回路遮断器を適正に作動させるうえでは、その作動に際して必要になる力が小さいことが好ましい。したがって、そうした力が大きくなり易い上記タイプの電気回路遮断器は改善の余地があると云える。
【０００７】
これに対して、二つの端子部材の間に挟持された移動部材を移動させるタイプの電気回路遮断器では、比較的小さい力で移動部材を移動させることが可能になるため、その作動に際して必要になる力を小さく抑えることも可能になる。ただし、移動部材が各接続部材間に挟持される構造であるために、移動部材を適正な状態で、すなわち二つの接続部材の間に確実に保持されるとともに各接続部材間の導通が確保される状態で配設することが難しい。こうしたことから移動部材を適正な状態で配設するためには電気回路遮断器の構造が複雑になり易いといった問題がある。
【０００８】
本発明は、そうした実情に鑑みてなされたものであり、その目的は、簡素な構造で確実に作動させることのできる電気回路遮断器を提供することにある。
【課題を解決するための手段】
【０００９】
以下、上記目的を達成するための手段及びその作用効果について説明する。
請求項１に記載の発明は、電気回路への接続用の第１接続部および第２接続部が一体に形成されるとともにそれら接続部を互いに接続する形状で延設される導体と火薬式のアクチュエータとを備えた電気回路遮断器において、前記導体はその少なくとも一部が作動部材からなり、前記作動部材はその一端が前記第１接続部と一体に形成されてなるとともに他端が前記第１接続部に対して相対移動可能な状態で配設されてなり、前記アクチュエータはその作動時において前記作動部材に向かって進む圧力波を発生するように配設されてなることをその要旨とする。
【００１０】
上記構成によれば、アクチュエータの作動に伴い発生した圧力波によって作動部材を変形させることができる。電気回路遮断器を配設する際には作動部材の一端が第１接続部ともども電気回路に固定されるために、同作動部材は第１接続部側の端部が固定された状態で第２接続部側の端部が移動するといった態様で変形するようになる。そのため、上記導体が作動部材と同作動部材より第２接続部側の部分とからなるものにおいて作動部材を同部分から離間させるように変形させたり、第２接続部が作動部材に一体形成される構成において同第２接続部が元々の配設位置から移動するように変形させたりするなど、電気回路における第２接続部が接続される部分と作動部材との導通を遮断するように同作動部材の端部を移動させることができる。一般に、導体を切断するために必要な力と比較して、一端が固定された導体の他端を変形させるために必要な力は小さい。したがって、導体を変形させることによって電気回路を遮断する上記構成によれば、電気回路遮断器を小さい力で確実に作動させることができるようになる。しかも、作動部材が変形して移動する構造であるとはいえ、その一端を固定することの可能な構造であるために、二つの部材間に挟持される部材を配設する場合と比較して、作動部材を容易に配設することができる。そのため、電気回路遮断器を簡素な構造にすることができる。
【００１１】
請求項２に記載の発明は、請求項１に記載の電気回路遮断器において、前記導体は、一端に前記第１接続部が形成されるとともに他端に前記第２接続部が一体に形成された前記作動部材であり、前記第１接続部は前記電気回路に固定される構造であり、前記第２接続部は前記電気回路から強制離脱させることの可能な構造であることをその要旨とする。
【００１２】
上記構成によれば、電気回路に接続された第２接続部を同電気回路から強制離脱させて離間させるといったように作動部材を変形させることができる。そして、これにより電気回路を遮断することができるようになる。しかも、導体を作動部材のみによって構成することができるため、導体を複数の部材によって構成する場合と比較して、電気回路遮断器を簡素な構造にすることができる。
【００１３】
請求項３に記載の発明は、請求項２に記載の電気回路遮断器において、前記作動部材は金属板からなり、前記第１接続部は前記作動部材に形成される貫通孔であり、前記第２接続部は前記作動部材に形成される切り欠き部であることをその要旨とする。
【００１４】
上記構成によれば、第１接続部としての貫通孔を利用してねじ等によって作動部材を電気回路の端子に取り付けることにより、同作動部材の一端を電気回路に固定することができる。しかも、第２接続部としての切り欠き部を利用してねじ等によって作動部材を電気回路の端子に取り付けることにより、切り欠き部の内部からねじ等を脱出させる方向に作動部材を変形させることによって、作動部材の端部を電気回路から強制離脱させることができる。したがって、作動部材の一端を電気回路から強制離脱させることの可能な状態で同電気回路に取り付けることができる。
【００１５】
請求項４に記載の発明は、請求項１に記載の電気回路遮断器において、前記導体は、前記作動部材と、一端に前記第２接続部が一体形成されるとともに他端が前記作動部材の前記他端に接触した状態で配設される連通部材とからなることをその要旨とする。
【００１６】
上記構成によれば、作動部材の端部を連通部材の端部から離間させるように同作動部材を変形させることにより、それら作動部材および連通部材の間の導通を遮断することができる。そして、これにより電気回路を遮断することができるようになる。
【００１７】
請求項５に記載の発明は、請求項４に記載の電気回路遮断器において、前記作動部材および前記連通部材は、前記作動部材の前記他端および前記連通部材の前記他端のうちの一方に形成された凹部に他方が挿入された状態で配設されてなることをその要旨とする。
【００１８】
上記構成によれば、作動部材を変形させることによって同作動部材の他端および連通部材の他端のうちの一方に形成された凹部から他方を引き抜くことができる。そのため、凹部に挿入された状態の端部を引き抜くといった簡素な構造を通じて、同作動部材と連通部材との導通を遮断することができる。
【００１９】
請求項６に記載の発明は、請求項５に記載の電気回路遮断器において、前記アクチュエータは、前記凹部に挿入された前記他端を同凹部から脱出させる方向に向かって進む圧力波を発生するように配設されてなることをその要旨とする。
【００２０】
上記構成によれば、アクチュエータの作動に伴い発生する圧力波を高い効率で作動部材に作用させることができるため、作動部材の他端および連通部材の他端のうちの一方に形成された凹部から他方を好適に引き抜くことができる。
【００２１】
請求項７に記載の発明は、請求項１〜６のいずれか一項に記載の電気回路遮断器において、当該電気回路遮断器は、前記圧力波によって前記作動部材の前記他端の位置が変化するように同作動部材を変形させるものであり、該他端を変形後の位置で保持する保持部材を備えてなることをその要旨とする。
【００２２】
上記構成によれば、電気回路を遮断するべく作動部材を変形させた際に同作動部材を変形後の状態で保持することができる。そのため、作動部材が一旦変形した後に元の形状に復帰することを防止することができ、電気回路を確実に遮断することができる。
【００２３】
請求項８に記載の発明は、請求項７に記載の電気回路遮断器において、当該電気回路遮断器は、前記作動部材の前記他端が収容されるケースを備えてなり、前記保持部材は、前記ケースの内壁面に形成された段差部であることをその要旨とする。
【００２４】
上記構成によれば、変形後の作動部材の端部をケース内壁面の段差部に引っ掛けて止めることができる。したがって、ケース内壁面に段差部を形成するといった簡素な構造により、作動部材を変形後の状態で保持することができる。
【００２５】
請求項９に記載の発明は、請求項１〜８のいずれか一項に記載の電気回路遮断器において、当該電気回路遮断器は、前記圧力波によって前記作動部材の前記他端の位置が変化するように同作動部材を変形させるものであって、前記変形させる前の前記導体と離間した位置であり且つ前記変形させた後の前記作動部材が接触する位置に配設された接続端子を備えてなることをその要旨とする。
【００２６】
上記構成によれば、電気回路を切断することに併せて、その切断された部分の一方を例えば接地させたり電気回路の特定部位に接続したりするといったように特定部位に接続することができるようになる。これにより、電気回路遮断器の多機能化を図ることができる。
【００２７】
請求項１０に記載の発明は、請求項１〜９のいずれか一項に記載の電気回路遮断器において、前記アクチュエータは、前記圧力波によって飛び出して前記作動部材を押圧する押圧部材を備えてなることをその要旨とする。
【００２８】
上記構成によれば、アクチュエータが発生する圧力波が有するエネルギを押圧部材によって作動部材に効率よく伝達することができるようになる。
【発明の効果】
【００２９】
本発明によれば、簡素な構造で確実に作動させることができるようになる。
【図面の簡単な説明】
【００３０】
【図１】本発明を具体化した第１の実施形態にかかる電気回路遮断器が適用される電気回路の概略構成を示す略図。
【図２】同電気回路遮断器の内部構造を示す断面図。
【図３】同電気回路遮断器の図２の矢印Ａ方向から見た側面構造を示す側面図。
【図４】［ａ］および［ｂ］アクチュエータの本体部の側面構造を示す側面図。
【図５】［ａ］および［ｂ］アクチュエータの押圧部材の側面構造を示す側面図。
【図６】第１の実施形態にかかる電気回路遮断器の内部構造を示す断面図。
【図７】本発明を具体化した第２の実施形態にかかる電気回路遮断器の内部構造を示す断面図。
【図８】同電気回路遮断器の内部構造を示す断面図。
【図９】本発明を具体化した他の実施形態にかかる電気回路遮断器の内部構造を示す断面図。
【図１０】同電気回路遮断器の内部構造を示す断面図。
【発明を実施するための形態】
【００３１】
（第１の実施形態）
以下、本発明を具体化した第１の実施形態にかかる電気回路遮断器について説明する。
図１は、本実施形態にかかる電気回路遮断器が適用される電気回路の概略構成を示している。
【００３２】
同図１に示すように、本実施形態の電気回路遮断器２０が適用される電気回路１０は蓄電池１１と電気機器１２とを備えている。この電気回路１０では、電源としての蓄電池１１からの電力供給によって電気機器１２が作動するようになっている。なお、上記電気回路１０は車両に搭載されている。車両が衝突などによってダメージを受けた場合に、電気機器１２が適正に作動しなくなったり上記電気回路１０からの漏電を招いたりするおそれがある。そのため、車両には、その衝突に際して蓄電池１１と電気機器１２との接続を遮断するための電気回路遮断器２０が設けられている。
【００３３】
この電気回路遮断器２０は、電気回路１０における蓄電池１１の正極と電気機器１２との間に設けられている。また車両には、その衝突の有無を検出するための衝突センサ１３と、マイクロコンピュータを中心に構成される電子制御装置１４とが設けられている。この電子制御装置１４には、衝突センサ１３の出力信号が取り込まれている。この電子制御装置１４は、衝突センサ１３の出力信号をもとに車両の衝突を検知すると、電気回路遮断器２０を作動させる。これにより、蓄電池１１から電気機器１２への電力供給が停止されるようになる。
【００３４】
本実施形態では、上記電気回路遮断器２０として、車両の衝突が検知されたときに作動する火薬式アクチュエータを内蔵したものが採用されている。この電気回路遮断器２０はアクチュエータの作動を通じて駆動される。
【００３５】
以下、電気回路遮断器２０の具体構造について説明する。
図２は、電気回路遮断器２０の内部構造を示している。また図３は、図２における矢印Ａ方向から見た電気回路遮断器２０の側面構造を示している。
【００３６】
図２および図３に示すように、電気回路遮断器２０は、全体が金属板（具体的には、銅板）により一体に形成された作動部材２１を備えている。この作動部材２１はその一端に貫通孔２２が形成されるとともに他端に切り欠き部２３が形成されている。この作動部材２１は、貫通孔２２側の端部と切り欠き部２３側の端部とが共に同一の方向（同図２における左右方向）に延びる形状に形成されている。切り欠き部２３は作動部材２１の先端の一部が切り取られた形状に形成されている。切り欠き部２３は詳しくは、作動部材２１の延設方向と平行に延びる形状であって、且つ同作動部材２１の先端において開口する形状に形成されている。本実施形態では、貫通孔２２が第１接続部として機能するとともに、切り欠き部２３が第２接続部として機能する。
【００３７】
上記電気回路遮断器２０では、作動部材２１の上記貫通孔２２側の端部が同貫通孔２２を利用してねじ等によって電気回路１０の端子に取り付けられる。これにより、作動部材２１の上記貫通孔２２側の端部が電気回路１０に固定される。その一方で、作動部材２１の上記切り欠き部２３側の端部は、同切り欠き部２３を利用してねじ等によって電気回路１０の端子に取り付けられる。これにより、作動部材２１の上記切り欠き部２３側の端部が電気回路１０に取り付けられる。
【００３８】
このようにして作動部材２１の上記貫通孔２２側の端部と上記切り欠き部２３側の端部とを電気回路１０の端子にそれぞれ接続することにより、それら電気回路１０の各端子間が電気回路遮断器２０の作動部材２１を通じて導通されるようになる。本実施形態では、この作動部材２１のみによって電気回路１０の各端子間が接続されるため、それら端子間を複数の部材によって接続する構成と比較して、電気回路遮断器２０を簡素な構造にすることができる。
【００３９】
また上記電気回路遮断器２０は、上記切り欠き部２３の内部からねじ等を脱出させる方向（図２および図３における右方向）に作動部材２１を変形させることにより、同作動部材２１の上記切り欠き部２３側の端部を電気回路１０の端子から引き抜くようにして強制離脱させることの可能な構造になっている。そして、そのようにして作動部材２１の上記切り欠き部２３側の端部を電気回路１０の端子から強制離脱させることによって、電気回路１０の各端子間の導通が遮断されるようになる。
【００４０】
電気回路遮断器２０はケース２４を備えている。また上記作動部材２１は、その延設方向（図２中の左右方向）における中央部分（湾曲部２５）が一方向（同図２における上方）に向けて突出するように湾曲した形状で延設されている。そして作動部材２１は、その湾曲部２５がケース２４内部に収容された状態であり、且つ上記貫通孔２２および切り欠き部２３がそれぞれケース２４外部に露出した状態で同ケース２４に取り付けられている。
【００４１】
また、上記ケース２４には火薬式のアクチュエータ２６が取り付けられている。このアクチュエータ２６は、ケース２４に固定された本体部２７と前記電子制御装置１４（図１参照）からの信号入力による火薬の着火燃焼によって燃焼ガスを発生させるガス発生部２８と上記本体部２７に取り付けられた押圧部材２９とを備えている。
【００４２】
図４に本体部２７の側面構造を示す。なお図４［ｂ］は、図４［ａ］における矢印Ｂ方向から見た本体部２７の側面構造を示している。
図４［ａ］および図４［ｂ］に示すように、本体部２７は全体がほぼ円筒形状に形成されている。この本体部２７には、その外周面から径方向における外方に向けて突出する形状のフランジ部３０が形成されている。このフランジ部３０がケース２４（図３参照）に固定されることによって同ケース２４にアクチュエータ２６が取り付けられている。
【００４３】
また本体部２７の内部には上記ガス発生部２８が配設されている。このガス発生部２８は詳しくは、円筒形状の本体部２７における一方の開口から配線接続用の端子３１が露出する状態であり、且つ他方の開口から燃焼ガスの発生に伴う圧力波が放出される状態で配設されている。なお、上記配線接続用の端子３１は前記電子制御装置１４に接続される。この端子３１を介して電子制御装置１４からアクチュエータ２６を作動させるための信号（詳しくは、ガス発生部２８に燃焼ガスを発生させるための信号）が入力される。
【００４４】
図５に、上記押圧部材２９の側面構造を示す。なお図５［ｂ］は、図５［ａ］における矢印Ｃ方向から見た押圧部材２９の側面構造を示している。
図５［ａ］および図５［ｂ］に示すように、押圧部材２９は、円筒形状に形成された基部３２と同円筒形状の一方の開口を塞ぐ形状の蓋部３３とにより構成されている。このように押圧部材２９は一方の開口が塞がれた状態の円筒形状、いわゆる有蓋円筒形状に形成されている。
【００４５】
そして図２に示すように、円筒形状に形成された本体部２７の一方の開口（圧力波が放出されるほうの開口）を押圧部材２９の開口によって塞ぐように、同押圧部材２９が上記本体部２７に取り付けられている。そのため、ガス発生部２８からの燃焼ガスの発生に伴って本体部２７から圧力波が放出されると、この圧力波によって押圧部材２９が本体部２７から離れて飛び出すようになる。
【００４６】
押圧部材２９は、アクチュエータ２６の本体部２７と上記作動部材２１の湾曲部２５との間に挟まれた位置に配設されている。これにより、アクチュエータ２６が発生する圧力波の進行方向が押圧部材２９に向けて進む方向、詳しくは作動部材２１における上記押圧部材２９の接触部分に向けて進む方向（図２中に矢印Ｄで示す方向）に設定されている。したがって押圧部材２９は、アクチュエータ２６の作動に際して作動部材２１を押圧しつつ飛び出すようになる。
【００４７】
押圧部材２９は、詳しくは、その蓋部３３が作動部材２１の湾曲部２５における切り欠き部２３側の側面に当接するように配設されている。そのため、アクチュエータ２６の作動に伴って押圧部材２９が飛び出した際には、上記作動部材２１の湾曲部２５の突出幅（図２における左右方向における幅）を小さくするように同湾曲部２５が押圧部材２９によって押圧されるようになる。
【００４８】
本実施形態では、こうした押圧部材２９を配設することにより、アクチュエータ２６が発生する圧力波が有するエネルギを作動部材２１に効率よく伝達することができるようになる。
【００４９】
以下、上記電気回路遮断器２０の動作態様について詳しく説明する。
図６に、アクチュエータ２６の作動後における電気回路遮断器２０の内部構造を示す。なお先の図２は、アクチュエータ２６の作動前における電気回路遮断器２０の内部構造を示している。
【００５０】
図２に示すように、本実施形態の電気回路遮断器２０は、作動部材２１の上記貫通孔２２側（同図中における右側）の端部が電気回路１０の端子に固定された状態で取り付けられるとともに、同作動部材２１の上記切り欠き部２３側（同図中における左側）の端部が電気回路１０の端子に強制離脱させることの可能な状態で取り付けられている。そして、アクチュエータ２６が作動すると、押圧部材２９によって上記作動部材２１の湾曲部２５の突出幅を小さくするように作動部材２１の湾曲部２５が押圧されるようになる。
【００５１】
その結果、図６に示すように、作動部材２１の上記貫通孔２２側の端部が固定された状態で切り欠き部２３側の端部がケース２４側に引き込まれる方向（同図中に矢印Ｅで示す方向）に移動するといった態様で、同作動部材２１が変形するようになる。これにより、作動部材２１の上記切り欠き部２３側の端部を元々の配設位置から移動させるように、換言すれば同端部を電気回路１０の端子から引き抜くようにして強制離脱させて離間させるといったように、作動部材２１が変形するようになる。そして、これによって作動部材２１の上記貫通孔２２側の端部が接続される電気回路１０の端子と上記切り欠き部２３側の端部が接続されていた電気回路１０の端子との導通が遮断されるようになるために、同電気回路１０が遮断されるようになる。
【００５２】
このように本実施形態では、押圧部材２９が作動部材２１を押圧する押圧力が電気回路１０の端子から作動部材２１の上記切り欠き部２３側の端部を引き抜く方向に作用するように、アクチュエータ２６が配置されている。そのため、アクチュエータ２６が発生させる圧力波によって、電気回路１０の端子から作動部材２１の上記切り欠き部２３側の端部を効率よく引き抜いて離脱させることができる。一般に、金属板を切断するために必要な力と比較して、一端が固定された金属板の他端を変形させるために必要な力は小さい。したがって、金属板からなる作動部材２１を変形させることによって電気回路１０を遮断する上記電気回路遮断器２０によれば、同電気回路遮断器２０を小さい力で確実に作動させることができるようになる。しかも、作動部材２１が変形して移動する構造であるとはいえ、同作動部材２１が貫通孔２２および切り欠き部２３が一体に形成された一枚の金属板により形成されているために、作動部材２１を容易に配設することができる。そのため、電気回路１０の各端子間を繋ぐ導体が複数の部材によって構成されたものと比較して、電気回路遮断器２０を簡素な構造にすることができる。
【００５３】
以上説明したように、本実施形態によれば、以下に記載する効果が得られるようになる。
（１）一端に貫通孔２２が形成されるとともに他端が同貫通孔２２に対して相対移動可能な状態で配設された作動部材２１と、作動時において作動部材２１に向かって進む圧力波を発生するアクチュエータ２６とを配設するようにした。そのため、電気回路遮断器２０を小さい力で確実に作動させることができる。しかも、作動部材２１を容易に配設することができるため、電気回路遮断器２０を簡素な構造にすることができる。
【００５４】
（２）作動部材２１として、全体を金属板により一体に形成したものを採用した。また作動部材２１の一端に貫通孔２２を形成するとともに他端に切り欠き部２３を形成した。そのため、作動部材２１の上記切り欠き部２３側の端部を電気回路１０の端子から引き抜くようにして強制離脱させるといったように同作動部材２１を変形させることができる。しかも、作動部材２１のみによって電気回路１０の各端子間を接続することができるため、それら端子間を複数の部材によって接続する構成と比較して、電気回路遮断器２０を簡素な構造にすることができる。
【００５５】
（３）貫通孔２２を利用してねじ等によって作動部材２１を電気回路１０の端子に取り付けることにより、同作動部材２１の上記貫通孔２２側の端部を電気回路１０の端子に固定することができる。しかも、切り欠き部２３を利用してねじ等によって作動部材２１を電気回路１０の端子に取り付けることにより、同切り欠き部２３の内部からねじ等を脱出させる方向に作動部材２１を変形させることによって同作動部材２１の上記切り欠き部２３側の端部を電気回路１０の端子から強制離脱させることができる。したがって、作動部材２１の上記切り欠き部２３側の端部を電気回路１０の端子から強制離脱させることの可能な状態で同端子に取り付けることができる。
【００５６】
（４）アクチュエータ２６として、前記圧力波によって飛び出して作動部材２１を押圧する押圧部材２９を備えたものを採用した。そのため、アクチュエータ２６が発生する圧力波が有するエネルギを押圧部材２９によって作動部材２１に効率よく伝達することができるようになる。
【００５７】
（第２の実施形態）
以下、本発明を具体化した第２の実施形態にかかる電気回路遮断器について、第１の実施形態との相違点を中心に説明する。なお以下では、第１の実施形態と同様の構成については同一の符号を付し、同構成についての詳細な説明は省略する。
【００５８】
本実施形態と第１の実施形態とは、電気回路遮断器の構造のみが異なる。
以下、本実施形態にかかる電気回路遮断器の具体構造について説明する。
図７は、本実施形態にかかる電気回路遮断器４０の内部構造を示している。
【００５９】
同図７に示すように、電気回路遮断器４０は、電気回路１０の各端子間を導通させるための導体として作動部材４１と連通部材４２とを備えている。これら作動部材４１および連通部材４２は共に金属板（具体的には、銅板）により形成されている。
【００６０】
連通部材４２は、その一方の端部が折り返された形状に形成された挿入部４３と貫通孔４４が形成された取り付け部４５とを備えている。この連通部材４２は、その取り付け部４５がケース４６の外部に配置されるとともに上記挿入部４３がケース４６の内部に配置されるように同ケース４６に取り付けられている。なお、連通部材４２の挿入部４３はほぼ断面コの字形状、詳しくは対向する二枚の金属板の間に間隙が形成される形状で延設されている。そして連通部材４２は上記挿入部４３の間隙がケース４６の内壁に沿って延びるように同ケース４６に固定されている。本実施形態では、挿入部４３が、作動部材の他端および連通部材の他端のうちの一方に形成された凹部として機能する。
【００６１】
作動部材４１は、ほぼ断面Ｍ字形状で延びるように形成された作動部４７と貫通孔４８が形成された取り付け部４９とを備えている。この作動部材４１は、その取り付け部４９がケース４６の外部に配置されるとともに作動部４７がケース４６の内部に配置されるように同ケース４６に取り付けられている。また作動部材４１は、その作動部４７の先端が前記連通部材４２の挿入部４３の間隙に挿入された状態で配設される。このようにして作動部材４１と連通部材４２とが互いに接触した状態で配設される。
【００６２】
上記電気回路遮断器４０を電気回路１０に取り付ける際には、連通部材４２の取り付け部４５が貫通孔４４を利用してねじ等によって電気回路１０の端子に取り付けられるとともに、作動部材４１の取り付け部４９が貫通孔４８を利用してねじ等によって電気回路１０の端子に取り付けられる。このようにして作動部材４１と連通部材４２とをそれぞれ電気回路１０の端子に接続することにより、それら電気回路１０の各端子間が連通部材４２および作動部材４１を介して導通されるようになる。本実施形態では、上記貫通孔４８が第１接続部として機能するとともに、貫通孔４４が第２接続部として機能する。
【００６３】
また、上記ケース４６の内部には火薬式のアクチュエータ５０が取り付けられている。このアクチュエータ５０は、前記電子制御装置１４からの信号入力による火薬の着火燃焼によって燃焼ガスを発生させるガス発生部５１と同ガス発生部５１に取り付けられた押圧部材５２とを備えている。
【００６４】
上記ガス発生部５１は全体がほぼ円柱形状に形成されている。また上記押圧部材５２は円筒形状に形成された基部５３と同円筒形状の一方の開口を塞ぐ形状の蓋部５４とにより構成されている。すなわち押圧部材５２は一方の開口が塞がれた状態の円筒形状、いわゆる有蓋円筒形状に形成されている。そして、上記押圧部材５２の開口を円柱形状のガス発生部５１に被せるように、同押圧部材５２がガス発生部５１に取り付けられている。
【００６５】
上記ガス発生部５１には前記電子制御装置１４が接続されている。この電子制御装置１４からアクチュエータ５０を作動させるための信号（詳しくは、ガス発生部５１に燃焼ガスを発生させるための信号）が入力される。アクチュエータ５０が作動してガス発生部５１からの燃焼ガスの発生に伴って圧力波が放出されると、この圧力波によって押圧部材５２がガス発生部５１から離れて飛び出すようになる。
【００６６】
押圧部材５２は、アクチュエータ５０のガス発生部５１と上記作動部材４１の作動部４７との間に挟まれた状態で配設されている。これにより、アクチュエータ５０が発生する圧力波の進行方向が押圧部材５２に向けて進む方向、詳しくは作動部材４１における上記押圧部材５２の接触部分に向けて進む方向（図７中に矢印Ｆで示す方向）に設定されている。したがって押圧部材５２は、アクチュエータ５０の作動に際して作動部材４１を押圧しつつ飛び出すようになる。本実施形態では、こうした押圧部材５２を配設することにより、アクチュエータ５０が発生する圧力波が有するエネルギを作動部材４１に効率よく伝達することができるようになる。
【００６７】
上記押圧部材５２は詳しくは、その蓋部５４が、ほぼ断面Ｍ字形状に形成された作動部４７の中央において湾曲した部分（湾曲部５５）の下面に当接するように配設されている。そのため、アクチュエータ５０の作動に伴って押圧部材５２が飛び出す際には、上記作動部材４１の作動部４７を押し上げる方向（図７における上方）に、同作動部材４１が押圧部材２９によって押圧されるようになる。本実施形態では、アクチュエータ５０が発生する圧力波の進行方向、言い換えれば上記押圧部材５２による作動部材４１の押圧方向として、連通部材４２の挿入部４３から作動部材４１の作動部４７の先端を脱出させる方向（脱出方向）と同一の方向が設定されている。
【００６８】
上記ケース４６の内壁面には段差部５６が形成されている。この段差部５６は、詳しくは、ケース４６の上記連通部材４２の挿入部４３側の内壁面おける同挿入部４３より上記脱出方向（図７中に矢印Ｆで示す方向）側の部分に形成される。また段差部５６は、連通部材４２の挿入部４３側の部分より上記脱出方向側の部分が窪んだ形状に形成される。本実施形態では、この段差部５６が保持部材として機能する。
【００６９】
以下、上記電気回路遮断器４０の動作態様について詳しく説明する。
図８に、アクチュエータ５０の作動後における電気回路遮断器４０の内部構造を示す。なお先の図７は、アクチュエータ５０の作動前における電気回路遮断器４０の内部構造を示している。
【００７０】
図７に示すように、本実施形態の電気回路遮断器４０は、連通部材４２の取り付け部４５と作動部材４１の取り付け部４９とがそれぞれ電気回路１０の端子に固定されている。また、作動部材４１の作動部４７の先端が連通部材４２の挿入部４３内に挿入された状態でそれら作動部材４１および連通部材４２が配設されている。そして、アクチュエータ５０が作動すると、押圧部材５２によって上記作動部材４１の作動部４７を押し上げるように同作動部材４１が押圧されるようになる。その結果、図８に示すように、作動部材４１の作動部４７の先端が連通部材４２の挿入部４３から脱出する方向（同図中における上方）に移動するといった態様で、同作動部材４１が変形するようになる。
【００７１】
したがって、作動部材４１の作動部４７を連通部材４２の挿入部４３内から引き抜くように、換言すれば作動部材４１を連通部材４２から離間させるといったように作動部材４１が変形するようになる。これにより連通部材４２および作動部材４１を介した電気回路１０の各端子間の導通が遮断されるようになるために、同電気回路１０が遮断されるようになる。このように上記電気回路遮断器４０では、連通部材４２の挿入部４３に挿入された状態の上記作動部材２１の作動部４７の先端を引き抜くといった簡素な構造を通じて、同連通部材４２と作動部材４１との導通を遮断することができる。
【００７２】
また上記電気回路遮断器４０では、押圧部材５２が作動部材４１を押圧する押圧力が同作動部材４１の作動部４７の先端を連通部材４２の挿入部４３内から引き抜く方向に作用するように、アクチュエータ５０が配置されている。そのため、アクチュエータ５０が発生させる圧力波によって、連通部材４２の挿入部４３から作動部材４１の作動部４７の先端を効率よく引き抜いて離脱させることができる。
【００７３】
このように金属板からなる作動部材４１の作動部４７を変形させることによって電気回路１０を遮断する上記電気回路遮断器４０によれば、同電気回路遮断器４０を小さい力で確実に作動させることができるようになる。しかも、作動部材４１が変形して移動する構造であるとはいえ、同作動部材４１が一枚の金属板により形成されるとともにケース４６および連通部材４２の挿入部４３それぞれに係止されることによって支持される構造であるため、二つの部材間に挟持される部材を配設する場合と比較して、同作動部材４１を容易に配設することができる。そのため、電気回路遮断器２０を簡素な構造にすることができる。
【００７４】
上記電気回路遮断器２０では、その作動部材２１の作動部４７が変形する際に、同作動部４７の先端がケース４６の内壁面の段差部５６を通り過ぎる位置まで移動するようになる。そのため、一旦変形した上記作動部４７の先端が上記段差部５６より連通部材４２の挿入部４３側の位置、すなわち変形前の位置に復帰するように移動した場合であっても、同作動部４７の先端が上記段差部５６に引っ掛かって止まった状態（図８に示す状態）になる。
【００７５】
このように上記電気回路遮断器４０では、電気回路１０を遮断するべく作動部材４１を変形させた際に同作動部材４１を変形後の状態で保持することができる。そのため、作動部材４１が一旦変形した後に元の形状に復帰することを防止することができ、電気回路１０を確実に遮断することができる。また電気回路遮断器２０では、作動部材４１の作動部４７を変形後の位置で保持するとの構成を、ケース４６の内壁面に段差部５６を形成するといった簡素な構造によって実現することができる。
【００７６】
以上説明したように、本実施形態によれば、以下に記載する効果が得られるようになる。
（５）連通部材４２の取り付け部４５と作動部材４１の取り付け部４９とをそれぞれ電気回路１０の端子に固定するようにした。また、作動部材４１の作動部４７の先端を連通部材４２の挿入部４３内に挿入した状態でそれら作動部材４１および連通部材４２を配設するようにした。そのため、電気回路遮断器４０を小さい力で確実に作動させることができる。しかも、二つの部材間に挟持される部材を配設する場合と比較して、作動部材４１を容易に配設することができるため、電気回路遮断器２０を簡素な構造にすることができる。
【００７７】
（６）取り付け部４５が一体形成された連通部材４２と取り付け部４９が一体形成された作動部材４１とを互いに接触する状態で配設するようにした。そのため、作動部材４１の端部を連通部材４２の端部から離間させるように同作動部材４１を変形させることにより、それら作動部材４１および連通部材４２の間の導通を遮断することができる。そして、これにより電気回路１０を遮断することができるようになる。
【００７８】
（７）作動部材２１の作動部４７の先端が連通部材４２の挿入部４３内に挿入された状態で、それら作動部材４１および前記連通部材４２を配設するようにした。そのため、作動部材４１を変形させることによって同作動部材４１の作動部４７の先端を連通部材４２の挿入部４３から引き抜くことができる。したがって、連通部材４２の挿入部４３に挿入された状態の作動部４７の先端を引き抜くといった簡素な構造を通じて、同作動部材４１と連通部材４２との導通を遮断することができる。
【００７９】
（８）連通部材４２の挿入部４３内から作動部材４１の作動部４７の先端を脱出させる方向に向かって進む圧力波を発生するようにアクチュエータ５０を配設した。これにより、アクチュエータ５０の作動に伴い発生する圧力波を高い効率で作動部材４１に作用させることができるようになるため、作動部材４１の作動部４７の先端を連通部材４２の挿入部４３から好適に引き抜くことができる。
【００８０】
（９）アクチュエータ５０として、前記圧力波によって飛び出して作動部材４１を押圧する押圧部材５２を備えたものを採用した。そのため、アクチュエータ５０が発生する圧力波が有するエネルギを押圧部材５２によって作動部材４１に効率よく伝達することができるようになる。
【００８１】
（その他の実施形態）
なお、上記各実施形態は、以下のように変更して実施してもよい。
・第１の実施形態において、作動部材２１が変形した後において同作動部材２１が変形後の形状で保持される構造を採用してもよい。こうした構造としては具体的には、以下の［構造イ］〜［構造ニ］に記載する構造を挙げることができる。［構造イ］段差部や凸部などといった作動部材２１の先端が引っ掛かる形状のものがケース２４の内壁面に設けられたもの。［構造ロ］ケース２４の内壁面から作動部材２１に向けて出没可能に設けられた出没部材と作動部材２１に形成されて同出没部材と係合する凹部（あるいは穴）とを備えたもの。［構造ハ］作動部材２１からケース２４の内壁面に向けて出没可能に設けられた出没部材とケース２４の内壁面に形成されて同出没部材と係合する凹部（あるいは穴）とを備えたもの。［構造ニ］作動部材２１が変形後の形状に形成されるとともに、変形前の状態に弾性変形させた状態で電気回路１０の各端子に取り付けられたもの。
【００８２】
・第１の実施形態において、作動部材２１の湾曲部２５より貫通孔２２側の部分をケース２４に固定するようにしてもよい。
・第１の実施形態において、電気回路１０の端子から作動部材２１の端部を強制離脱可能な構造としては、同作動部材２１に切り欠き部２３を形成する構造以外の構造を採用することができる。
【００８３】
・第１の実施形態において、ケース２４の内部における変形前の作動部材２１と離間した位置であり、且つ変形後の作動部材２１と接触する位置に接続端子を新たに設けるようにしてもよい。同構成によれば、電気回路遮断器の作動を通じて、電気回路１０を切断することに併せて、その切断された部分の一方（作動部材２１に接続された部分）を例えば接地させたり電気回路１０の特定部位に接続したりするといったように特定部位に接続することができるようになる。これにより電気回路遮断器の多機能化を図ることができる。
【００８４】
・第２の実施形態において、作動部材４１が変形した後において同作動部材４１を変形後の形状で保持するための構造は、ケース４６の内壁面に段差部５６を形成する構造に限らず、任意に変更することができる。こうした構造としては具体的には、以下の［構造ホ］〜［構造ト］に記載する構造を挙げることができる。［構造ホ］凸部などの作動部材４１の先端が引っ掛かる形状のもので段差部以外のものがケース４６の内壁面に設けられたもの。［構造ヘ］ケース４６の内壁面から作動部材４１に向けて出没可能に設けられた出没部材と作動部材４１に形成されて同出没部材と係合する凹部（あるいは穴）とを備えたもの。［構造ト］作動部材４１からケース４６の内壁面に向けて出没可能に設けられた出没部材とケース４６の内壁面に形成されて同出没部材と係合する凹部（あるいは穴）とを備えたもの。
【００８５】
・第２の実施形態において、連通部材４２をケース４６に固定したり、作動部材４１の取り付け部４５をケース４６に固定したりしてもよい。
・第２の実施形態において、ケース４６の内部における変形前の作動部材４１と離間した位置であり、且つ変形後の作動部材４１と接触する位置に接続端子を新たに設けるようにしてもよい。
【００８６】
図９および図１０に、そうした電気回路遮断器６０の一例を示す。なお図９はアクチュエータ５０の作動前における電気回路遮断器６０の内部構造を示している。また図１０はアクチュエータ５０の作動後における電気回路遮断器６０の内部構造を示している。
【００８７】
図９に示すように、電気回路遮断器６０のケース６５には、作動部材４１および連通部材４２に加えて、接続部材６１が取り付けられている。この接続部材６１は金属板により形成されている。また接続部材６１は、貫通孔６２が形成されるとともに上記ケース６５の外部に配設される取り付け部６３と、ケース６５の内壁面から作動部材４１の作動部４７側に延びる形状に形成された接触部６４とを備えている。この電気回路遮断器６０では上記接触部６４の上記ケース６５内部側の先端が接触端子として機能する。そして、この接触部６４の先端の位置が変形前の作動部材４１と離間した位置であり且つ変形後の作動部材４１と接触する位置になるように、同接触部６４の延設形状が設定されている。
【００８８】
図１０に示すように、アクチュエータ５０が作動すると、作動部材４１の作動部４７の先端が連通部材４２の挿入部４３から脱出する方向（同図中における上方）に移動するといった態様で、同作動部材４１が変形するようになる。この作動部材４１の変形に際して、同作動部材４１は上記接触部６４に接触するとともに同接触部６４ともども変形するようになる。その結果、作動部材４１の変形後において同作動部材４１と接続部材６１とが接触した状態になる。
【００８９】
こうした電気回路遮断器６０によれば、電気回路１０を切断することに併せて、電気回路１０における作動部材４１に接続された部分を接続部材６１に接続された部分（例えば接地部位や電気回路１０の特定部位）に接続することができるようになる。これにより、電気回路遮断器６０の多機能化を図ることができる。
【００９０】
・第２の実施形態において、アクチュエータ５０が発生する圧力波の進行方向を、作動部材４１の作動部４７が連通部材４２の挿入部４３から脱出する方向と同一の方向に設定することに限らず、若干ずれた方向に設定するようにしてもよい。
【００９１】
・第２の実施形態において、作動部材４１の作動部４７にその先端が折り返された形状の挿入部４３を形成するとともに同挿入部４３に連通部材４２の先端を挿入した状態で、それら作動部材４１および連通部材４２を配設するようにしてもよい。要は、作動部材４１の作動部４７および連通部材４２のうちの一方に形成された凹部に他方が挿入された状態で、それら作動部材４１および連通部材４２を配設することができればよい。
【００９２】
・第２の実施形態において、作動部材４１と連通部材４２とが互いに支持されるとともに接続されるのであれば、それらが接触する部分の構造は任意に変更することができる。
・第２の実施形態において、作動部材４１の取り付け部４５と連通部材４２とが共にケース４６に固定されるなど、それら作動部材４１および連通部材４２がともに確実に支持されるのであれば、連通部材４２と作動部材４１とが単に接触するようにそれら連通部材４２および作動部材４１を配設してもよい。
【００９３】
・各実施形態において、作動部材や連通部材に貫通孔を形成することに代えて、作動部材や連通部材を電気回路の端子に確実に固定することができる構造のものであれば、任意の構造のものを設けることができる。
【００９４】
・各実施形態において、作動部材や連通部材を、断面円形状で延びる金属材料や断面多角形状で延びる金属材料などといった金属板以外のものによって形成してもよい。また作動部材や連通部材を、例えば導電性の樹脂材料など、金属材料以外の材料によって形成することもできる。
【００９５】
・各実施形態において、アクチュエータが発生する圧力波によって作動部材を適正に変形させることができるのであれば、押圧部材を省略してもよい。
・本発明は、車両に搭載される電気回路に限らず、工場などに設置された装置に設けられる電気回路にも適用することができる。この場合には、電気回路自体の異常や装置の異常などといった同装置に関する何らかの異常を検知するとともに、その検知をもとにアクチュエータを作動させるようにすればよい。
【００９６】
・電源として蓄電池が接続される電気回路に限らず、電源として商用電源が接続される電気回路にも本発明にかかる電気回路遮断器は適用することができる。
【符号の説明】
【００９７】
１０…電気回路、１１…蓄電池、１２…電気機器、１３…衝突センサ、１４…電子制御装置、２０…電気回路遮断器、２１…作動部材、２２…貫通孔、２３…切り欠き部、２４…ケース、２５…湾曲部、２６…アクチュエータ、２７…本体部、２８…ガス発生部、２９…押圧部材、３０…フランジ部、３１…端子、３２…基部、３３…蓋部、４０…電気回路遮断器、４１…作動部材、４２…連通部材、４３…挿入部、４４…貫通孔、４５…取り付け部、４６…ケース、４７…作動部、４８…貫通孔、４９…取り付け部、５０…アクチュエータ、５１…ガス発生部、５２…押圧部材、５３…基部、５４…蓋部、５５…湾曲部、５６…段差部、６０…電気回路遮断器、６１…接続部材、６２…貫通孔、６３…取り付け部、６４…接触部、６５…ケース。
【図１】
2011192531.tif 000003
【図２】
2011192531.tif 000004
【図３】
2011192531.tif 000005
【図４】
2011192531.tif 000006
【図５】
2011192531.tif 000007
【図６】
2011192531.tif 000008
【図７】
2011192531.tif 000009
【図８】
2011192531.tif 000010
【図９】
2011192531.tif 000011
【図１０】
2011192531.tif 000012